(57)【要約】【課題】  前面枠の開放動作に追従させて球払出通路をスムーズに開閉できて、前面枠開放時に球が零れて遊技機外に飛び出すのを確実に防止し得る遊技機を提供する。【解決手段】  前面枠が開閉自在に装着される内枠に、払い出された球を前面枠前面側の球貯留皿へ誘導する球払出通路と、該球払出通路の終端部にあって当該球払出通路を開閉可能とするシャッター板とを設けると共に、前面枠とシャッター板に例えば長溝状の係合ガイドと係合突起からなり互いに係合する係合手段を設け、該係合手段の係合位置を前面枠と内枠の開放角度の如何に従って変位させて、球払出通路を開成状態と閉塞状態のいずれか一方に設定することを特徴とする。【選択図】  図３
2006174964.tif 000002
【特許請求の範囲】
【請求項１】
払い出された球が貯留される球貯留皿を前面側に有すると共に遊技盤が取り付けられる内枠に対して開閉自在に装着された前面枠と、前記内枠に設けられ払い出された球を前面枠前面側の球貯留皿へ誘導する球払出通路及び該球払出通路の終端部にあって当該球払出通路を開閉可能とするシャッター板と、を備えた遊技機において、
前記前面枠とシャッター板に互いに係合する係合手段を設け、該係合手段は、前面枠と内枠の開放角度の如何に従ってその係合位置が変位されて、前記球払出通路を開成状態と閉塞状態のいずれか一方に設定し得ることを特徴とする遊技機。
【請求項２】
前記係合手段が、前記シャッター板に一体に形成された長溝状の係合ガイドと、前記前面枠の裏面側に設けられ前記係合ガイド内を摺動し得る係合突起とで構成され、前記前面枠が内枠に対して開放角度の生じない完全に閉鎖された際には、前記係合突起が係合ガイドの終端位置に係合されて前記開成状態を形成すると共に、前記前面枠が内枠に対して所定角度開放された際には、前記係合突起が係合ガイドの終端位置より離れていくことにより前記閉塞状態を形成し得ることを特徴とする請求項１に記載の遊技機。
【請求項３】
前記係合手段は、内枠と前面枠との開放角度が所定角度を超えたことを契機として、その係合状態が解除されることを特徴とする請求項１または２に記載の遊技機。
【請求項４】
前記シャッター板は、付勢部材により常に前記球払出通路を閉塞する方向に付勢されていることを特徴とする請求項１ないし３のいずれかに記載の遊技機。
【発明の詳細な説明】
【技術分野】
【０００１】
本発明は、外枠に対して内枠が開閉自在に装着されると共に、この内枠に前面枠が開閉自在に装着されるパチンコ遊技機等の遊技機に関するものである。
【背景技術】
【０００２】
従来、この種の例えばパチンコ遊技機としては、図９に示すものが知られている。このパチンコ遊技機は、内枠１０１の前面下部に誘導ボックス１０２が設けられ、この誘導ボックス１０２には、バネ１０３で付勢力が付与され図に示す傾倒状態と図示しない起立状態に揺動自在な仕切板１０４を有する球零れ防止機構部１０５が設けられると共に、内枠１０１に対して開閉される図示しない前面枠には、賞球払出口に接続された賞球接続樋（いずれも図示せず）等が設けられている。
【０００３】
そして、前面枠が内枠１０１に対して閉塞された状態では、賞球接続樋の後端部分によって仕切板１０４が押圧されて傾倒状態となり、賞球接続樋と上皿流出用開口１０６を連通させると共に、賞球接続樋と上皿流出用開口１０６の連通が解除される前面枠の開放状態では、賞球接続樋による仕切板１０４の押圧力が解除されバネ１０３の付勢力で仕切板１０４が起立状態となり、該仕切板１０４で溢れ球入り口１０７の前方を仕切り、上皿流流出用開口１０６からの球が溢れ球入り口１０７から外れて零れ落ちるのを防止するようになっている。なお、かかるパチンコ遊技機としては、例えば特許文献１に開示されている。
【特許文献１】特開２００１−２７６３８０号公報
【発明の開示】
【発明が解決しようとする課題】
【０００４】
しかしながら、このようなパチンコ遊技機にあっては、前面枠が開放した際の上皿流出用開口１０６（球払出通路）の閉塞が、単にバネ１０３の付勢力による仕切板１０４の起立動作によって行われるため、バネ１０３の付勢力のバラツキや使用によるへたり等により、仕切板１０４の起立動作が前面枠の開閉動作にスムーズに追従しない場合があり、このような場合に、前面枠を開放した際に仕切板１０４で溢れ球入り口１０７を仕切り、上皿流出用開口１０６からの球の零れを確実に防止することが困難で、該球が遊技機外である床面等に飛び出すことがあるという問題点を有している。
【０００５】
本発明は、このような事情に鑑みてなされたもので、その目的は、前面枠の開放動作に追従させて球払出通路をスムーズに開閉できて、前面枠開放時に球が零れて遊技機外に飛び出すのを確実に防止し得る遊技機を提供することにある。
【課題を解決するための手段】
【０００６】
かかる目的を達成すべく、本発明のうち請求項１に記載の発明は、払い出された球が貯留される球貯留皿を前面側に有すると共に遊技盤が取り付けられる内枠に対して開閉自在に装着された前面枠と、前記内枠に設けられ払い出された球を前面枠前面側の球貯留皿へ誘導する球払出通路及び該球払出通路の終端部にあって当該球払出通路を開閉可能とするシャッター板と、を備えた遊技機において、前記前面枠とシャッター板に互いに係合する係合手段を設け、該係合手段は、前面枠と内枠の開放角度の如何に従ってその係合位置が変位されて、前記球払出通路を開成状態と閉塞状態のいずれか一方に設定し得ることを特徴とする。
【０００７】
また、請求項２に記載の発明は、前記係合手段が、前記シャッター板に一体に形成された長溝状の係合ガイドと、前記前面枠の裏面側に設けられ前記係合ガイド内を摺動し得る係合突起とで構成され、前記前面枠が内枠に対して開放角度の生じない完全に閉鎖された際には、前記係合突起が係合ガイドの終端位置に係合されて前記開成状態を形成すると共に、前記前面枠が内枠に対して所定角度開放された際には、前記係合突起が係合ガイドの終端位置より離れていくことにより前記閉塞状態を形成し得ることを特徴とする。
【０００８】
また、請求項３に記載の発明は、前記係合手段が、内枠と前面枠との開放角度が所定角度を超えたことを契機として、その係合状態が解除されることを特徴とし、請求項４に記載の発明は、前記シャッター板が、付勢部材により常に前記球払出通路を閉塞する方向に付勢されていることを特徴とする。
【発明の効果】
【０００９】
本発明のうち請求項１に記載の発明によれば、内枠に対して開閉自在に取り付けられた前面枠と、球払出通路を開閉可能とするシャッター板とに、前面枠と内枠の開放角度の如何に従ってその係合位置が変位される係合手段を設け、この係合手段の係合位置によって球払出通路が開成状態と閉塞状態のいずれか一方に設定されるため、前面枠の開放動作に連動した係合手段の係合位置の変位でシャッター板を開成状態から閉塞状態にスムーズに設定できて、前面枠の開放時に球払出通路から球が零れて遊技機外に飛び出すのを確実に防止することができる。
【００１０】
また、請求項２に記載の発明によれば、請求項１に記載の発明の効果に加え、係合手段がシャッター板の長溝状の係合ガイドと前面枠裏面の係合突起とで構成され、前面枠が完全に閉じられた際に係合突起が係合ガイドの終端位置に係合されて開成状態を形成すると共に、前面枠が所定角度開放された際に係合突起が係合ガイドの終端位置より離れていくことにより閉塞状態が形成されるため、係合ガイドと係合突起の係合という簡素な構成により、シャッター板をスムーズに開成状態と閉塞状態のいずれかに設定できて、球払出通路からの球の零れを一層確実に防止することができる。
【００１１】
また、請求項３に記載の発明によれば、請求項１または２に記載の発明の効果に加え、内枠と前面枠との開放角度が所定角度を超えたことを契機として係合手段の係合状態が解除されるため、前面枠の全開時まで係合手段が係合することがなくなり、係合手段の損傷等を防止することができる。
【００１２】
また、請求項４に記載の発明によれば、請求項１ないし３に記載の発明の効果に加え、付勢部材によりシャッター板が常に球払出通路を閉塞する方向に付勢されているため、前面枠の開放時にシャッター板に閉塞方向の付勢力が作用し、前面枠の開放操作力を小さくすることができて、シャッター板や前面枠にスムーズな開放動作を得ることができる。
【発明を実施するための最良の形態】
【００１３】
以下、本発明の実施の形態を図面に基づいて詳細に説明する。
図１〜図８は、本発明に係わる遊技機としてのパチンコ遊技機の一実施形態を示し、図１がその正面図、図２がその側面図、図３が球零れ防止機構部の斜視図、図４及び図５がその前面枠開放前の球零れ防止機構部の斜視図及び概略平面図、図６及び図７が前面枠開放後の球零れ防止機構部の斜視図及び概略平面図、図８が球零れ防止機構部の動作説明図である。
【００１４】
図１及び図２に示すように、パチンコ遊技機１は、縦長の矩形状に枠組み形成されその前面下部に腰板部３が張設された外枠２と、この外枠２の前面側の一端部に上下のヒンジ４によって開閉自在に装着されると共に図示しない遊技盤保持枠が形成された内枠５（図３参照）と、この内枠５の前面側の幅方向一端部に前記ヒンジ４によって開閉自在に装着された前面枠６等で構成されている。また、外枠２の裏面側には、各種基板を覆う保護カバー７や状態表示ＬＥＤ８等が配置されている。
【００１５】
前記前面枠６は、その高さ寸法（高さ幅）が前記外枠２の上端から下部に位置する腰板部３の上端までの寸法と略等しく設定された前面枠基体９と、この前面枠基体９の前面に装着された装飾カバーユニット１０等を備えている。この装飾カバーユニット１０は、例えば非透光性で受皿誘導樋１４が設けられた受皿誘導樋カバー１１ａと、透光性でレンズ機能を有する一対の電飾カバー１１ｂ、１１ｃ及び非透光性で音声通過孔を有するスピーカーカバー１１ｄと、これらのカバー１１ａ〜１１ｄの中央部に配置された透明板１１ｅの５個のカバーパーツによって形成されたカバー部材１１と、このカバー部材１１の下部表面側に一体的に被覆配置され球貯留皿１５、遊技球発射操作ハンドル１６及び演出ボタン１７等が取り付けられた操作ハンドルカバー１２と、カバー部材１１の左上部に配置される正面視三日月状の電飾カバー１３等によって構成され、これらが前記前面枠基体９前面の装飾部（図示せず）に取り付けられている。
【００１６】
そして、図３〜図５に示すように、前記前面枠６のヒンジ４側の裏面下部と、該前面枠６に対応する内枠５の前面下部には球零れ防止機構部１８が設けられている。この球零れ防止機構部１８は、内枠５に取り付けられ下方に開口した払出口１９ａを有する球払出通路１９と、この球払出通路１９の前記払出口１９ａを開閉させるシャッター板２０と、このシャッター板２０を水平面内で移動させるための係合手段２１（図５参照）等を有している。
【００１７】
このうち、球払出通路１９は、その略中心位置に球通過用の孔が形成された垂直部１９ｂと、この垂直部１９ｂの後方に設けられた球誘導樋部１９ｃと、垂直部１９ｂの前方に突出され前記孔を通過した球を下方に誘導するためのカバー部１９ｄ等で構成され、カバー部１９ｄの下面に前記払出口１９ａが形成されている。これにより、球誘導樋部１９ｃから供給される払出球２９が垂直部１９ｂの孔を通過してカバー部１９ｄでガイドされながら払出口１９ａから下方に払い出し（落下）するようになっている。なお、球払出通路１９の払出口１９ａは、前面枠６を閉じた際に該前面枠６の裏面下部に設けた図３に示す払出球誘導樋２２の上方に開口した開口部２２ａに、上下方向において対向するように設定されている。
【００１８】
また、前記シャッター板２０は、例えば金属板によりその外形形状が前記払出口１９ａの略全域を閉塞し得る略扇形状に形成され、その基端部が、内枠５の球払出通路１９近傍の側板に固定されたシャッター取付板２３に、軸２４を中心に水平面内で回転自在に支持されると共に、軸２４に巻回されたバネ２５により払出口１９ａを閉塞する方向に常に付勢されている。また、シャッター板２０の軸２４を中心とした回動方向イ（図５参照）の先端部２０ａは平面視で三角形状に形成され、該先端部２０ａにより払出口１９ａとの間での払出球２９の挟み込みが防止されるようになっている。なお、このシャッター板２０の先端部２０ａ形状は三角形状に限らず、例えば櫛歯状に形成する等、払出球２９を例えばすくい上げて挟み込みを防止し得る適宜の形状を採用することができる。
【００１９】
さらに、前記係合手段２１は、内枠５のシャッター板２０の裏面に設けられた長溝状の係合ガイド２６と、前面枠６の前記払出球誘導樋２２の裏面側に設けられた係合突起２７とで形成されている。この係合手段２１の係合ガイド２６は、例えば金属板や金属棒をＵ字形状に屈曲させることにより、終端位置を形成する底部２６ａと、所定幅の一対のガイドで形成され先端側に開口２６ｃが形成された所定長さの溝部２６ｂを有している。この溝部２６ｂ先端の開口２６ｃは、前面枠６方向に僅かに屈曲されることにより溝部２６ｂの長手方向に対してやや外側方向に向けて拡開するテーパー状に形成されている。また、前記溝部２６ｂの長さは、後述する前面枠６の所定の開放角度に対応するように設定されている。
【００２０】
一方、係合手段２１の前記係合突起２７は、例えば金属製や樹脂製の外周面が滑らかなパイプで形成されており、垂直部と水平部を有して略Ｌ字形状に屈曲され垂直部が前記払出球誘導樋２２の側面に固定された係合突起取付板２８の水平部の先端上面に立設状態で固定されるかもしくは回動自在に設けられている。この時、係合突起２７の外径は、前記係合ガイド２６の溝部２６ｂの幅と同一か若干小さく設定されており、これにより、係合突起２７が係合ガイド２６の溝部２６ｂ間に嵌挿されて係合状態に設定されると共に、この係合状態で係合突起２７が係合ガイド２６の溝部２６ｂ内をその長手方向に移動（変位）し得るように構成されている。
【００２１】
次に、このように構成された球零れ防止機構部１８の動作の一例を図４〜図８等に基づいて説明する。先ず、前面枠６が内枠５（及び外枠２）に対して閉じられた遊技中においては、球零れ防止機構部１８の係合手段２１が係合状態とされて、図５に示すように前面枠６の係合突起２７がシャッター板２０の係合ガイド２６の溝部２６ｂの終端位置（底部２６ａ）に位置し、球払出通路１９の払出口１９ａが開いた状態（開成状態という）となっている。この開成状態において、遊技盤の入賞口に入賞することで払い出される払出球２９は、図４に示すように、内枠５の図示しない払出球誘導樋から球払出通路１９の球誘導樋部１９ｃを介してカバー部１９ｄ内に供給され、このカバー部１９ｄで案内されつつ、その払出口１９ａから下方に落下し、払出口１９ａに対応して設けられた前面枠６の払出球誘導樋２２の開口部２２ａ内に上方から供給されて、該払出球誘導樋２２を介して前記球貯留皿１５内に貯留される。
【００２２】
一方、例えば遊技中のトラブル発生等により前面枠６が内枠５に対して開放操作されると、前面枠６の係合突起２７が、該前面枠６の開放動作に追従して内枠５の係合ガイド２６の溝部２６ｂ内を開口２６ｃ方向に移動し、前面枠６が所定角度開放した際に、図６及び図７に示すように、係合突起２７がシャッター板２０の係合ガイド２６から離れて完全に外れた状態となる。この時、図８に示すように、係合突起２７が前面枠６とともにヒンジ４を中心に時計方向に回動すると共に、この係合突起２７がその溝部２６ｂ内に嵌挿状態とされている係合ガイド２６すなわちシャッター板２０が、軸２４を中心に反時計方向である矢印イ方向に回動することになる。
【００２３】
これにより、図８の二点鎖線ａの開成状態の位置にあるシャッター板２０（係合ガイド２６）が、係合突起２７の矢印ロ方向の移動に伴い矢印イ方向に徐々に回動し、実線で示す位置を経過して、例えば二点鎖線ｂで示す位置まで回動される。この時、係合突起２７が係合ガイド２６の底部２６ａから実線で示す位置まで、前面枠６の開放操作に連動して移動することから、この係合突起２７に係合しているシャッター板２０が二点鎖線ａ位置から実線位置まで機械的に移動させられて、シャッター板２０の先端部２０ａで払出口１９ａの例えば略半分が閉塞される。
【００２４】
このシャッター板２０による閉塞で払出球２９が払出口１９ａをスムーズに通過できない状態となり、この位置からバネ２５の付勢力によってシャッター板２０が更に矢印イ方向に回動して払出口１９ａの略全域が閉塞される（これを閉塞状態という）。なお、シャッター板２０の先端部２０ａが平面視で三角形状に形成されていることから、バネ２５の付勢力で払出口１９ａを閉塞する際に、シャッター板２０の回動方向の前方に払出球２９がある場合、該払出球２９の外周面の略一点に先端部２０ａが当接してカバー部１９ｄ内にある払出球２９をすくい上げる状態となって、先端部２０ａによる払出球２９の挟み込み等が防止されることになる。
【００２５】
そして、シャッター板２０によって払出口１９ａが閉塞状態に設定されると、図６に示すように、内枠５の払出球誘導樋から球払出通路１９内に供給された払出球２９が、該球払出通路１９のカバー部１９ｄ内に貯留されて払出口１９ａ下方への払い出しが禁止される。これにより、前面枠６を開放した際に内枠５の球払出通路１９内の払出球２９が払出口１９ａから零れて、所定角度開放されている前面枠６と内枠５の間から下方の床面等に飛び出すことが防止されることになる。
【００２６】
つまり、この球零れ防止機構部１８の場合、前面枠６の払出球誘導樋２２の開口部２２ａに連結される球払出通路１９の払出口１９ａの開閉動作が、前面枠６側の係合突起２７と内枠５側の係合ガイド２６からなる係合手段２１の係合作用によるシャッター板２０の水平面内での移動によって行われ、係合突起２７が係合ガイド２６の溝部２６ｂ内に位置する場合に、互いに係合状態とされて払出口１９ａが開いた開成状態が得られ、係合突起２７が係合ガイド２６の底部２６ａから溝部２６ｂ内を開口２６ｃ方向に移動（変位）して開口２６ｃから離れて外れることにより、互いの係合状態が解除されることになる。そして、この係合状態が解除された時点で、シャッター板２０がバネ２５の付勢力で閉塞方向にさらに移動し払出口１９ａが略完全に閉塞された閉塞状態が得られて球零れが防止されるようになっている。
【００２７】
なお、図８の実線で示す係合突起２７と係合ガイド２６の係合解除開始位置における前面枠６の内枠５に対する開放角度は、例えば１０〜６０度程度のトラブル発生時の作業がし易い所定角度に設定されている。また、以上の例では、係合突起２７が係合ガイド２６の開口２６ｃから離れる際に、シャッター板２０で払出口１９ａを完全に閉塞しない状態に設定し、この位置からバネ２５の付勢力で略完全に閉塞するようにしたが、例えばシャッター板２０に設けられる係合ガイド２６の溝部２６ｂの長さを長くしたり、溝部２６ｂの形状を係合突起２７の前面枠６開放時の回動軌跡に略合致させて形成すること等により、シャッター板２０で払出口１９ａが略完全に閉塞される位置まで、互いに係合させる構成とすることもできる。
【００２８】
このように、上記実施形態のパチンコ遊技機１にあっては、内枠５の球払出通路１９近傍に水平面内で回動可能に設けたシャッター板２０の係合ガイド２６と、内枠５に開放自在に装着した前面枠６の係合突起２６からなる係合手段２１を、内枠５の開放角度の如何に従ってその係合位置が変位されるように設けているため、前面枠６の開放動作に連動した係合手段２１の係合位置の変位でシャッター板２０を閉塞状態と開成状態とに設定することができ、前面枠６の開放時に球払出通路１９から払出球２９が零れてパチンコ遊技機１外に飛び出すのを防止することができる。
【００２９】
特に、係合手段２１が、シャッター板２０の長溝状の係合ガイド２６と前面枠６裏面の係合突起２７で構成され、前面枠６が完全に閉じられた際に係合突起２７が係合ガイド２６の終端位置に係合されて開成状態を形成すると共に、前面枠６が所定角度開放された際に係合突起２７が係合ガイド２６の終端位置より離れて開口２６ｃから開放されることにより閉塞状態が形成されるため、係合ガイド２６と係合突起２７の係合作用によりシャッター板２０を確実に開成状態と閉塞状態のいずれかに設定できて、球払出通路１９からの払出球２９の零れを確実に防止することができる。また、シャッター板２０の先端部２０ａが三角形状に形成されているため、シャッター板２０で払出口１９ａを閉塞する際の払出球２９の挟み込み等を防ぐことができて、球零れをより一層確実に防止できることになる。
【００３０】
また、内枠５と前面枠６との開放角度が所定角度を超えたことを契機にして、係合手段２１の係合ガイド２６と係合突起２７の係合状態が解除されるため、前面枠６の全開時まで係合手段２１が係合状態を維持することがなくなって、係合ガイド２６や係合突起２７に無理な力が作用することがなく、これらの損傷やシャッター板２０の損傷等を確実に防止することができる。
【００３１】
さらに、シャッター板２０が、バネ２５により常に球払出通路１９を閉塞する方向に付勢されているため、前面枠６の開放時にシャッター板２０に閉塞方向への付勢力を作用させることができ、前面枠６の開放操作力を小さくすることができる。また、シャッター板２０に設けられる係合ガイド２６が溝部２６ｂを有し、この溝部２６ｂ先端の開口２６ｃが外側に指向してテーパー状に拡開しているため、係合突起２７の溝部２６ｂからの抜けが良好に行えると共に、前面枠６を閉じる際の係合突起２７の溝部２６ｂ内への嵌入が良好となり、球零れ防止機構部１８の動作を前面枠６の開閉動作にスムーズに対応させることができる。これらにより、前面枠６やシャッター板２０にスムーズな開放動作を得ることができて、例えばトラブル発生時の作業を素早く行うこと等が可能となる。
【００３２】
また、上記実施形態によれば、次のような付随的な作用効果を得ることができる。すなわち、前面枠基体７の表面の装飾部が、カバー１１ａ〜１１ｄを熱溶着等で一体化すると共に、これらの各カバー１１ａ〜１１ｄの中央開口部に透明板１１ｅを熱溶着等で一体化したカバー部材１１により一括して被覆されるため、前面枠基体７の表面を略一枚物のカバー部材１１で覆うことができて、前面枠基体７へのカバー部材１１の取付作業が極めて簡単に行える等、前面枠６の組立作業性等を向上させて、その製造工程の大幅な簡素化を図ることができる。
【００３３】
また、前面枠６が、複数の開閉扉等に分割されることがなくなるため、前面枠を複数の開閉扉に分割したパチンコ遊技機の場合に、その前面側に必然的に発生していた各開閉扉間の接合部の隙間をなくすことができて、例えば隙間から不正具を挿入する等の不正行為の発生を確実に防ぐことができる。さらに、前面枠基体７前面の装飾カバーユニット１０が、レンズ機能を有するカバーパーツ等を熱溶着等により一体化したカバー部材１１と、このカバー部材１１に連続した状態で遊技球発射操作ハンドル１６等が一体に組み付けられた操作ハンドルカバー１２等により形成されているため、前面枠基体７のカバー部分における隙間の発生をほとんどなくして、従来にない意匠的美観と不正行為の発生を一層高めたパチンコ遊技機１を得ることが可能となる。
【００３４】
なお、以上の説明においては、シャッター板２０の係合ガイド２６と前面枠６の係合突起２７の係合状態が解除された際に、バネ２５の付勢力によってシャッター板２０を閉塞方向に移動させたが、本発明はこの構成に限定されず、例えばバネ２５を省略し係合突起２７と係合ガイド２６に前述した構成等を採用することにより、係合手段２１の係合・解除のみによって払出口１９ａを開閉する構成としても良い。また、上記実施形態においては、係合ガイド２６を内枠５のシャッター板２０に設け、係合突起２７を前面枠６に設けたが、シャッター板２０に係合突起２７を設け前面枠６に係合ガイド２６を設けても良いし、係合突起２７や係合ガイド２６の形状も前面枠６の開閉操作に悪影響のない適宜の形状を採用することができる。
【００３５】
さらに、上記実施形態においては、内枠５の前面に開閉自在に装着される前面枠６が１枚物である場合について説明したが、例えば２枚や３枚等の複数の開閉扉を上下方向に連結配置して前面枠が構成されるパチンコ遊技機１にも適用することができ、この場合の球零れ防止機構部１８は、球貯留皿１５が設けられる下部の開閉扉と内枠５間に設ければ良い。また、上記実施形態における、シャッター板２０自体の形状、球払出通路１９、払出球誘導樋２２の構成等も一例であって、本発明に係わる各発明の要旨を逸脱しない範囲において適宜に変更することができる。
【産業上の利用可能性】
【００３６】
本発明は、パチンコ遊技機に限らず、外枠と内枠を有し内枠の前面に前面枠が開閉自在に装着される、例えば遊技球を遊技媒体とする各種の弾球遊技機等に適用できる。
【図面の簡単な説明】
【００３７】
【図１】本発明に係わる遊技機としてのパチンコ遊技機の一実施形態を示す正面図
【図２】同その側面図
【図３】同球零れ防止機構部の斜視図
【図４】同前面枠開放前の球零れ防止機構部の斜視図
【図５】同その概略平面図
【図６】同前面枠開放後の球零れ防止機構部の斜視図
【図７】同その概略平面図
【図８】同球零れ防止機構部の動作説明図
【図９】従来の球零れ防止機構部の斜視図
【符号の説明】
【００３８】
１・・・・・・・・パチンコ遊技機
２・・・・・・・・外枠
３・・・・・・・・腰板部
５・・・・・・・・内枠
６・・・・・・・・前面枠
９・・・・・・・・前面枠基体
１０・・・・・・・装飾カバーユニット
１１・・・・・・・カバー部材
１４・・・・・・・受皿誘導樋
１５・・・・・・・球貯留皿
１８・・・・・・・球零れ防止機構
１９・・・・・・・球払出通路
１９ａ・・・・・・払出口
１９ｂ・・・・・・カバー部
２０・・・・・・・シヤッター板
２０ａ・・・・・・先端部
２１・・・・・・・係合手段
２２・・・・・・・払出球誘導樋
２２ａ・・・・・・開口部
２３・・・・・・・シャッター取付板
２４・・・・・・・軸
２５・・・・・・・バネ
２６・・・・・・・係合ガイド
２６ａ・・・・・・底部
２６ｂ・・・・・・溝部
２６ｃ・・・・・・開口
２７・・・・・・・係合突起
２８・・・・・・・係合突起取付板
２９・・・・・・・払出球
【図１】
2006174964.tif 000003
【図２】
2006174964.tif 000004
【図３】
2006174964.tif 000005
【図４】
2006174964.tif 000006
【図５】
2006174964.tif 000007
【図６】
2006174964.tif 000008
【図７】
2006174964.tif 000009
【図８】
2006174964.tif 000010
【図９】
2006174964.tif 000011